(57)【特許請求の範囲】
【請求項１】
不正開封防止蓋であって、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の前記円形壁部の前記外方表面に溝を有し、前記内方部材の前記内方表面が、前記外方部材を第１の方向に回転させる手段により容器に対する連結を可能にするねじ山を有し、および、
前記外方部材は、前記内方部材の前記溝の内部に部分的に配置された少なくとも１つの停止部材であって、前記内方部材が該外方部材に対して回転するのを防止する少なくとも１つの停止部材を備え、該少なくとも１つの停止部材は枢支点において前記外方部材に対して枢動的に連結され、且つ、前記外方部材の前記円形壁部中の開口内に配置され、前記少なくとも１つの停止部材は、前記内方部材が前記容器に対して連結された後に、指定された力で可制御的に無効化されるように構成され、そのために、前記外方部材は前記内方部材に対して自由に回転することができ、それによって、本不正開封防止蓋の前記容器からの取外しを防止し、および、前記少なくとも１つの停止部材は、指定された方向に前記外方部材または前記少なくとも１つの停止部材を移動させることにより前記少なくとも１つの停止部材に対して印加される指定された破断力によって無効化されるように構成される、不正開封防止蓋。
【請求項２】
不正開封防止蓋であって、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の前記円形壁部の前記外方表面に溝を有し、前記内方部材の前記内方表面が、前記外方部材を第１の方向に回転させる手段により容器に対する連結を可能にするねじ山を有し、および、
前記外方部材は、前記内方部材の前記溝の内部に部分的に配置された少なくとも１つの停止部材であって、該外方部材に対して前記内方部材が回転するのを防止する少なくとも１つの停止部材を備え、該少なくとも１つの停止部材は枢支点において前記外方部材に対して枢動的に連結され、且つ、前記外方部材の前記円形壁部中の開口内に配置され、前記少なくとも１つの停止部材は、前記内方部材が前記容器に対して連結された後に、指定された力で可制御的に無効化されるように構成され、そのために、前記外方部材は前記内方部材に対して自由に回転することができ、それによって、本不正開封防止蓋の前記容器からの取外しを防止し、前記少なくとも１つの停止部材は、前記外方部材の上に配置され、および、前記外方部材から取り外すことにより可制御的に無効化されるように構成され、および、前記少なくとも１つの停止部材は、指定された破断力を前記少なくとも１つの停止部材に対して印加することにより取り外される、不正開封防止蓋。
【請求項３】
前記枢支点は、前記少なくとも１つの停止部材を前記内方部材の前記溝から離れるように枢動させることを可能にする、請求項１または２に記載の不正開封防止蓋。
【請求項４】
前記指定された方向は前記第１の方向と同一の方向である、請求項１に記載の不正開封防止蓋。
【請求項５】
前記指定された方向は前記中心軸の方向である、請求項１に記載の不正開封防止蓋。
【請求項６】
グリップ部材をさらに備える、請求項１または２に記載の不正開封防止蓋。
【請求項７】
前記グリップ部材は前記中心軸から離れる方向に延在する、請求項６に記載の不正開封防止蓋。
【請求項８】
前記グリップ部材は前記少なくとも１つの停止部材上に配置される、請求項６に記載の不正開封防止蓋。
【請求項９】
前記少なくとも１つの停止部材は実質的に前記内方部材と前記外方部材の間に配置される、請求項１または２に記載の不正開封防止蓋。
【請求項１０】
前記少なくとも１つの停止部材は、前記外方部材の前記内方表面と前記内方部材の前記外方表面の間に配置される、請求項９に記載の不正開封防止蓋。
【請求項１１】
前記少なくとも１つの停止部材は前記中心軸の周囲に対称的に配置される、請求項１０に記載の不正開封防止蓋。
【請求項１２】
前記外方部材の前記円形壁部中の前記開口が前記少なくとも１つの停止部材を支持する、請求項１または２に記載の不正開封防止蓋。
【請求項１３】
アセンブリであって、医療廃棄物容器と不正開封防止蓋を備えたアセンブリにおいて、
該不正開封防止蓋が、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の前記円形壁部の前記外方表面に溝を有し、前記内方部材の前記内方表面が、前記外方部材を第１の方向に回転させる手段により容器に対する連結を可能にするねじ山を有し、および、
前記外方部材は、前記内方部材の前記溝の内部に部分的に配置された少なくとも１つの停止部材であって、前記内方部材が該外方部材に対して回転するのを防止する少なくとも１つの停止部材を備え、該少なくとも１つの停止部材は枢支点において前記外方部材に対して枢動的に連結され、且つ、前記外方部材の前記円形壁部中の開口内に配置され、前記少なくとも１つの停止部材は、前記内方部材が前記容器に対して連結された後に、指定された力で可制御的に無効化されるように構成され、そのために、前記外方部材は前記内方部材に対して自由に回転することができ、それによって、本不正開封防止蓋の前記容器からの取外しを防止し、および、前記少なくとも１つの停止部材は、指定された方向に前記外方部材または前記少なくとも１つの停止部材を移動させることにより前記少なくとも１つの停止部材に対して印加される指定された破断力によって無効化されるように構成される、アセンブリ。
【請求項１４】
アセンブリであって、医療廃棄物容器と不正開封防止蓋を備えたアセンブリにおいて、
該不正開封防止蓋が、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の前記円形壁部の前記外方表面に溝を有し、前記内方部材の前記内方表面が、前記外方部材を第１の方向に回転させる手段により容器に対する連結を可能にするねじ山を有し、および、
前記外方部材は、前記内方部材の前記溝の内部に部分的に配置された少なくとも１つの停止部材であって、該外方部材に対して前記内方部材が回転するのを防止する少なくとも１つの停止部材を備え、該少なくとも１つの停止部材は枢支点において前記外方部材に対して枢動的に連結され、且つ、前記外方部材の前記円形壁部中の開口内に配置され、前記少なくとも１つの停止部材は、前記内方部材が前記容器に対して連結された後に、指定された力で可制御的に無効化されるように構成され、そのために、前記外方部材は前記内方部材に対して自由に回転することができ、それによって、本不正開封防止蓋の前記容器からの取外しを防止し、前記少なくとも１つの停止部材は、前記外方部材の上に配置され、および、前記外方部材から取り外すことにより可制御的に無効化されるように構成され、および、前記少なくとも１つの停止部材は、指定された破断力を前記少なくとも１つの停止部材に対して印加することにより取り外される、アセンブリ。
【請求項１５】
不正開封防止蓋であって、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の遠位端面は、第１の傾斜表面であって、前記外方部材の円周方向ロックフランジ上に配置された第２の傾斜表面と共に前記外方部材に対する前記内方部材のフック状ロック構成を可能にするための、第１の傾斜表面を備え、および、
前記外方部材は、第３の傾斜表面を有する少なくとも１つの停止部材を備え、前記第３の傾斜表面は、前記内方部材の円形壁部の外方表面中に環状に形成された溝の側面であって前記外方表面に対して傾斜している側面に、前記停止部材が前記溝の内部に部分的に配置された状態において面接触し、および、前記少なくとも１つの停止部材は、指定された方向に前記外方部材または前記少なくとも１つの停止部材を移動させることにより前記少なくとも１つの停止部材に対して印加される指定された破断力によって無効化されるように構成される、不正開封防止蓋。
【請求項１６】
不正開封防止蓋であって、
中心軸、
外方部材、
内方部材
を備え、
前記外方部材および前記内方部材はそれぞれ、外方表面と、内方表面と、円形ベースであって、該円形ベースの外周部の周囲に延在する円形壁部を有する円形ベースを備えており、前記内方部材の遠位端面は、第１の傾斜表面であって、前記外方部材の円周方向ロックフランジ上に配置された第２の傾斜表面と共に前記外方部材に対する前記内方部材のフック状ロック構成を可能にするための、第１の傾斜表面を備え、および、
前記外方部材は、第３の傾斜表面を有する少なくとも１つの停止部材を備え、前記第３の傾斜表面は、前記内方部材の円形壁部の外方表面中に環状に形成された溝の側面であって前記外方表面に対して傾斜している側面に、前記停止部材が前記溝の内部に部分的に配置された状態において面接触し、および、前記少なくとも１つの停止部材は加熱により無効化される、不正開封防止蓋。
【請求項１７】
前記少なくとも１つの停止部材は前記中心軸の方向に付勢される、請求項１５または１６に記載の不正開封防止蓋。
【請求項１８】
前記指定された方向は前記中心軸の方向である、請求項１５に記載の不正開封防止蓋。
【発明の詳細な説明】
【技術分野】
【０００１】
本発明は、容器の開口を封止し、またそれと同時に、それがそれに連結された後にこの容器から蓋が取り外されるのを防止することにより容器へのアクセスを実質的に防止する不正開封防止蓋を実現するための、不正開封防止蓋に関する。
【背景技術】
【０００２】
一般的に、病院およびケアセンター等々は、日常業務の中で増々多くの使い捨て医用デバイスを使用する傾向にある。使い捨て医用デバイスは、使用後の分別設備、殺菌設備、または洗浄設備を一般的に必要としないため、使用される。代わりに、それらの名称が示すように、それらは、単純に処分することが可能である。したがって、使用済み針または例えば輸液セットなどの汚染された医用デバイス等々の医療廃棄物の量は、増加しつつある。使い捨てアイテムにはいくつかの利点が存在するものの、医療廃棄物は、一般的に、処分の際および処分後に考慮を必要とする傾向にある。
【０００３】
針を使用して血液検体を採取する看護師は、その針を安全な環境に、すなわちアクセスが制限された環境に配置する。使用後のアクセスが制限されることにより、スタッフがそれに不要にさらされることが、およびそれによるリスクが回避される。封止可能容器が、これを目的としてしばしば使用される。一般的には、かかる封止可能容器は、ステンレス鋼、アルミニウム、または同様の金属から作製され、医療廃棄物を入れられた後に、この容器は、通常のねじ蓋を使用して単純に封止される。その後、この封止された容器は、処分のために、または任意にはリサイクル工場もしくは埋立てに進む前の殺菌のために、焼却炉へ送ることが可能となる。
【発明の概要】
【発明が解決しようとする課題】
【０００４】
しかし、例えば封止された容器がそれらの最終ステーションへと移動される際などの使用時に、この封止された容器を取り扱う人は、偶発的にこの封止された容器を開封するリスクにさらされ、または、任意の他の理由により、封止された容器が、開封されるもしくは破損する恐れがある。そのため、容器を封止するために、特に医療廃棄物容器を封止するために使用される、方法およびデバイスを改良する必要性が、常に存在する。
【課題を解決するための手段】
【０００５】
本発明の１つの目的は、上述の欠点の影響を少なくとも部分的に解消または軽減することである。より具体的には、それらは、本発明による容器用の不正開封防止蓋により少なくとも部分的に解消または軽減される。この蓋は、中心軸を有し、外方部材および内方部材を備える。外方部材および内方部材はそれぞれ、外方表面および内方表面を備え、内方部材の外方表面の少なくとも一部が、外方部材の内方表面の少なくとも一部に実質的に隣接する。外方部材および内方部材は、さらに、相互に対する中心軸に沿った変位を実質的に防止される。内方部材は、第１の方向に外方部材を回転させることにより容器に対する連結を可能にする連結手段を備える。蓋は、内方部材が外方部材に対して回転するのを防止する少なくとも１つの停止部材を備える。この少なくとも１つの停止部材は、内方部材が容器に対して連結された後に、指定された力で可制御的に無効化され得るように構成され、それにより、外方部材は、内方部材に対して自由に回転することによって、容器からの蓋の取外しを防止することが可能となる。
【０００６】
本発明は、安全性および作業環境に関連して取扱いを向上させ得る不正開封防止蓋を提供する。この不正開封防止蓋は、容器の確実な封止を可能にすると共に、封止された容器が偶発的に開封されるリスクを効果的に軽減する。
【０００７】
本発明による一実施形態においては、少なくとも１つの停止部材が、指定された破断力により無効化され得るように構成され得る。指定された破断力は、内方部材に対して外方部材を移動させることにより、または指定された方向もしくは第１の方向に少なくとも１つの停止部材自体を移動させることにより、少なくとも１つの停止部材に対して印加され得る。一般的には、少なくとも１つの停止部材は、外方部材に対して移動される。このようにすることで、少なくとも１つの停止部材は、少なくとも１つの停止部材を破断することによって、および／または、任意には取り外されることによって、無効化され得る。
【０００８】
少なくとも１つの停止部材が、蓋の外方部材および内方部材を固定的に連結するように構成される場合には、この少なくとも１つの停止部材は、指定の破断力にこの少なくとも１つの停止部材をさらすことにより破断され得ることによって、外方部材は、内方部材に対して自由に旋回すなわち回転することが可能となる。あるいは、または追加的には、停止部材の少なくとも１つが、内方部材と協働するように構成され得る。停止部材の少なくとも１つが、例えば内方部材上の溝と協働する取外し可能な突出部材の形態をとることが可能である。
【０００９】
本発明の一実施形態によれば、少なくとも１つの停止部材は、指定された方向への指定された力により可制御的に無効化される。この指定された方向は、第１の方向と同一の方向であることが可能である。これは、ユーザが、例えば容器に蓋を螺合する際に、回転運動を単に継続することにより少なくとも１つの停止部材が無効化されるため、有利である。任意には、指定された方向は、中心軸（Ｘ）の方向であることが可能である。これは、容器は閉じられるべきではあるが、少なくとも１つの停止部材は無効化されないように確保することをユーザが求める場合には、有利となり得る。これは、蓋が、例えば容器に螺合され、その一方で、少なくとも１つの停止部材が、蓋が容器に螺合される方向である第１の方向に対して実質的に垂直である方向において内方部材に対して例えば外方部材を移動することにより無効化されることによって、達成される。これにより、ユーザは、少なくとも１つの停止部材を偶発的に無効化する危険を冒すことがなくなる。
【００１０】
少なくとも１つの停止部材は、少なくとも１つの停止部材を無効化するための所望の指定された方向に応じて、多数の異なる位置に配置され得る。適切な位置は、実質的に内方部材と外方部材との間か、または内方部材と外方部材との間である。なぜならば、これは、内方部材に対して外方部材が移動するのを防止することにより容器に蓋を螺合させ得る、さらにその後少なくとも１つの停止部材を無効化し得る、単純ではあるが効果的な方法であるからである。任意には、少なくとも１つの停止部材は、外方部材の内方表面と内方部材の外方表面との間に配置され得る。
【００１１】
本発明による一実施形態においては、少なくとも１つの停止部材は、例えば中心軸を中心とした連続的なまたは断続的なリングまたは多角形としてなど、中心軸を中心として延在することが可能である。複数の停止部材が存在する場合には、それらは、停止部材を無効化するために必要とされる所要の指定された破断力を分配するために、中心軸を中心として対称的に位置決めされ得る。任意には、１つのみの停止部材が存在する場合には、この停止部材は、好ましくは内方部材と外方部材との間に、中心軸を中心としてそれ自体において対称的に配置され得る。これにより、停止部材の無効化後に外方部材と内方部材との間において良好な破断表面が得られる。内方部材および外方部材は、相互に対して再係合するようには傾斜状になされず、したがって、外方部材は内方部材を移動させることはできない。また、この利点は、少なくとも１つの停止部材が中心軸と交差するように配置される、すなわち内方部材と外方部材との間におよび内方部材および外方部材の円形ベースの中心に位置決めされる場合には、顕著になる。
【００１２】
少なくとも１つの停止部材は、外方部材から取り外すことにより可制御的に無効化されるように構成され得る。したがって、それは、内方部材と相互作用するのを防止されることにより、外方部材に対して内方部材が旋回されるのを停止させることになる。本発明の一実施形態によれば、少なくとも１つの停止部材は、少なくとも１つの停止部材に対して指定された破断力を印加することにより取り外され得る。この実施形態においては、少なくとも１つの停止部材は、内方部材および／または外方部材に対して固定的に装着され、その後、印加される破断力によって取り外される。
【００１３】
本発明による一実施形態においては、内方部材、外方部材、および少なくとも１つの停止部材は、例えば成形物または同様のものを形成することなどにより、単体材料片として一体的に形成され得る。任意には、外方部材および内方部材は、別個の材料片から形成される。少なくとも１つの停止部材は、内方部材および／または外方部材により単体材料片によって一体的に形成され得る。
【００１４】
さらに、本発明は、医療廃棄物容器および本明細書において記載されるような不正開封防止蓋のアセンブリに関する。このアセンブリは、具体的には、上記および下記の、ならびに請求項において概要を示されるような、種々の実施形態の全てに関する。また、本発明は、医療廃棄物容器を封止するための、本明細書において説明されるようなまたは請求項のいずれかに記載の、不正開封防止蓋の使用に関する。
【００１５】
また、本発明は、本明細書において説明されるような不正開封防止蓋を使用して容器を封止するための方法に関する。この方法は、
−  蓋を用意するステップと、
−  容器に蓋を螺合するステップと、
−  少なくとも１つの停止部材を無効化するステップと
を含む。この方法により、容器の再開封を効果的に防止する容器の封止が可能になる。
【００１６】
少なくとも１つの停止部材は、１つの停止部材、２つの停止部材、３つの停止部材、４つの停止部材、またはそれ以上の停止部材であることが可能である。いくつかの実施形態においては、２〜５０個の停止部材、５〜４０個の停止部材、または任意には１０〜３０個の停止部材を有することが有利となり得る。本発明の一実施形態によれば、停止部材または複数の停止部材は、内方部材と外方部材との間に配置される例えば圧入されたピンによって形成され得る。
【００１７】
一態様によれば、一実施形態が、容器用の不正開封防止蓋に関する。この蓋は、中心軸Ｘ、外方部材、および内方部材を有する。さらに、外方部材および内方部材は、相互に対して中心軸Ｘに沿って変位することが実質的に防止される。内方部材の少なくとも一部は、第１の方向に外方部材を回転させることにより容器に対する螺合連結を可能にするねじ山を備える。さらに、この蓋は、内方部材が外方部材に対して回転するのを防止する少なくとも１つの停止部材をさらに備える。この少なくとも１つの停止部材は、内方部材が容器に対して連結された後に指定された力で可制御的に無効化され、それにより、外方部材が内方部材に対して自由に回転することによって、容器からの蓋の取外しを防止するように構成される。本発明により、容器を封止すると共に、容器の再開封を実質的に防止することが可能となる。
【００１８】
内方部材および外方部材にとって適切な材料は、ポリエチレン、ポリプロピレン、ポリウレタン、バイオポリマー（例えばＰＰＣ、ポリプロピレンカーボネート、および／または澱粉）等々のポリマー材料、あるいは金属または合金（アルミニウム、アルミナ、真鍮、鋼、または鉄等々）である。また、当然ながら、例えばポリプロピレンなどのプラスチックなどのポリマー材料から作製された内方部材を有する金属外方部材など、上述の材料の組合せが可能である。外方部材は、有利には、力を受けた場合に外方部材が変形するリスクを防止または軽減するために、鋼またはより厚いプラスチック材料などの耐変形材料から製造され得る。かかる力は、例えば内方部材が外方部材により回転される場合に、印加され得る。
【００１９】
内方部材または外方部材は、内方部材と外方部材との間の摩擦を低減させる材料で被覆され得る。任意には、摩擦低減材料が、内方部材と外方部材の間において位置決めされ得る、例えば接着剤などで化学的に接着され得る、または定位置に物理的に保持され得る。
【００２０】
（定義）
不正開封防止蓋の取外しは、停止部材を無効にした後には防止されると述べられるが、「防止される」という表現は、取外しが不可能であることとして解釈されるべきではない点に留意されたい。蓋（または容器）は、蓋が取外し可能になった後には、破損し得る。したがって、「防止される」という表現は、適度な労作または他の通常の手順の利用による取外しが防止されることとして解釈されるべきである。
【図面の簡単な説明】
【００２１】
添付の図面を参照として、本発明をさらに詳細に説明する。
【図１】本発明の一実施形態による容器および不正開封防止蓋を示す図である。
【図２】図１に示す不正開封防止蓋の断面図である。
【図３ａ】本発明の第２の実施形態による不正開封防止蓋の断面図である。
【図３ｂ】本発明の第２の実施形態による不正開封防止蓋の断面図である。
【発明を実施するための形態】
【００２２】
図１は、使用済み針または汚染された医用器具等々の有害廃棄物を保管するための医療廃棄物容器１（以降では容器と呼ぶ）を示す。しかし、不正開封防止蓋１０は、有害な材料または物等々を保管するための任意の容器に対して使用可能である。容器１は、本発明の一実施形態によれば、不正開封防止蓋１０（「蓋」とも呼ぶ）で封止することが可能である。蓋１０は、容器１のネック要素３に構成されたねじ山２を使用して螺合により容器１に対して適切に連結される。容器１および蓋１０は、容器１および蓋１０の中心を貫通して延在する中心軸Ｘを有して図示される。例えば使用済み針の形態の医療廃棄物などが、容器１内に配置されると、蓋１０をネック要素３に螺合することにより、周囲環境から容器１の内部を密封することができ、したがって容器１および医療廃棄物へのアクセスを防止することが可能となる。蓋１０は、少なくとも１つの停止部材を備え、これは、ネック要素３に蓋１０を螺合可能にし、それへの連結後には、ネック要素３から蓋を螺脱不能にすることにより容器１の内部へのアクセスを防止するように構成される。
【００２３】
図２は、図１に示すような不正開封防止蓋１０の断面を示す。蓋１０は、内方部材４０を実質的に囲む外方部材２０を備える。外方部材２０は、円形外周部２２を有する円形ベース２１を備える。円形壁部２３が、円形外周部２２の周囲に延在し、円形ベース２１上に位置する近位端部２４と、円形ベース２１から遠くに位置する遠位端部２５とを有する。外方部材２０は、外方表面２６および内方表面２７をさらに有する。少なくとも内方表面２７は、平滑表面を有することが可能である。円形壁部２３の遠位端部２５においては、円周方向ロックフランジ２８が、中心軸Ｘの方向に突出する。円周方向ロックフランジ２８は、内方部材４０が、外方部材２０の内方表面２７から離れる方向に中心軸Ｘに沿って移動するのを実質的に防止する。円周方向ロックフランジ２８は、内方部材４０が、外方部材２０に対して中心軸Ｘに沿って移動するのを防止すると述べられるが、それでも外方部材２０と内方部材４０との間に遊びが存在し得るため、これにより、外方部材２０および内方部材４０の少々の相対変位が可能となる点に留意されたい。
【００２４】
内方部材４０は、円形外周部４２を有する円形ベース４１を備える。円形壁部４３が、円形外周部４２の周囲に延在する。円形壁部４３は、円形ベース４１の上に位置する近位端部４４と、円形ベース４１から遠くに位置する遠位端部４５とを有する。内方部材４０は、外方表面４６および内方表面４７をさらに有する。内方表面４７は、容器１のネック要素３のねじ山２との間における螺合を可能にするための、ねじ山４８などの連結手段を有する。円形壁部４３の遠位端部４５は、外方部材２０の円周方向ロックフランジ２８と協働して、内方部材４０が中心軸Ｘに沿っておよび外方部材２０に対して移動するのを防止する。既述のように、外方部材２０の内方表面２７は、内方部材４０の外方表面４６に実質的に隣接するが、小さな遊びが可能である。
【００２５】
複数の停止部材５１、５２、５３が、外方部材２０と内方部材４０との間に配置されることにより、外方部材２０に対する内方部材４０の変位、この場合には回転すなわち旋回が防止される。図２の図示する実施形態は、３つのみの停止部材５１、５２、５３を示すが、蓋１０は、４つの停止部材を備える。これらの複数の停止部材５１、５２、５３は、円周壁部４３の遠位端部４５の周囲に対称的に配置され、それに外方部材２０の円周方向ロックフランジ２８を装着する。蓋１０が、容器１のネック要素３に螺合されると、複数の停止部材５１、５２、５３は、外方部材２０を介してユーザにより印加される指定された破断力にさらされた場合に破断するように構成される。複数の停止部材５１、５２、５３が、破断すると、外方部材と内方部材との間の固定連結が、無効化され、外方部材２０は、内方部材４０に対して自由に回転することが可能となる。外方部材２０が、内方部材４０に対して自由に回転することが可能であり、しかし中心軸Ｘに沿っての変位は実質的に防止されることにより、外方部材２０は、内方部材４０を実質的に囲み、容器１のネック要素３のねじ山２から内方部材４０を螺脱させるための内方部材４０へのアクセスを防止する。そのため、不正開封防止蓋１０は、適切な容器への螺合が可能であり、その後、容器からの螺脱により周囲環境に容器の内部がさらされるのを実質的に防止する、蓋を実現する。
【００２６】
外方部材２０および内方部材４０の相対変位を可能にする上述の外方部材２０と内方部材４０との間の遊びは、外方部材２０が例えば回転方向または中心軸Ｘに沿った方向などに指定された破断力を印加され得るようにすることによって、少なくとも１つの停止部材を無効化するのを支援する。本発明の一態様によれば、少なくとも１つの停止部材は、具体的には、回転運動に耐えるように構成される一方で、この回転運動に対して垂直方向に印加される指定された力に応じて破断するように構成されることが可能であり、またその逆が可能である。したがって、一実施形態によれば、ユーザは、回転運動により容器に対して蓋を容易に装着することが可能となり、その後、中心軸Ｘに沿った運動により自身の手で蓋を単に叩くことにより、複数の停止部材に対して指定の破断力を印加することが可能となる。
【００２７】
図３ａ〜図３ｂは、本発明の第２の実施形態による不正開封防止蓋１０の断面を示す。単純化のために、蓋１０の一部のみが図示される。上記で用いた同一の参照符号が、同一の特徴に対して使用される。蓋１０は、外方部材２０および内方部材４０を備え、これらはそれぞれ、図２を参照として上述したように、外方表面２６、４６および内方表面２７、４７と、外周部の周囲に延在する円形壁部２３、４３を有する円形ベース２１、４１とを備える。内方部材４０の内方表面４７は、ねじ山４８などの連結手段を備える。
【００２８】
外方部材２０は、外方部材２０と共に一体的に形成された少なくとも１つの停止部材６０を備える。停止部材６０は、内方部材４０の円形壁部４３の外方表面４６中に形成された溝６３と協働する。停止部材６０は、図３ａに図示するように内方部材４０の溝６３の内部に部分的に配置された状態においては、外方部材２０が内方部材４０に対して旋回されるのを効果的に防止し、したがって、図１に図示するように、蓋１０は、容器１のネック要素３のねじ山２に螺合することが可能になる。任意には、少なくとも１つの停止部材が、内方部材４０と一体的に形成され、外方部材２０の円形壁部２３の内方表面２６中に形成された溝またはアパーチャと協働する。
【００２９】
停止部材６０は、枢支点６１において外方部材２０に対して枢動的に連結され、外方部材２０の円形壁部２３中の開口６４内に、すなわちアパーチャを貫通して配置される。この枢支点６１は、図３ａにおいて矢印により示すように、停止部材６０を内方部材４０の溝６３から離れるように枢動させ得るものであり、任意には、枢支点６１における停止部材６０と外方部材２０との間の連結を完全に破断することにより停止部材６０を外方部材２０から完全に取り外させ得る。停止部材６０が、溝６３から取り外され、外方部材２０から取り外されると、外方部材２０は、内方部材４０に対して中心軸Ｘを中心として時計回り方向または反時計回り方向に回転すなわち旋回することが可能となる。外方部材２０が、内方部材４０を実質的に囲むため、内方部材４０は、容器１との組付け後には、容器１からの取外しが効果的に防止される。グリップ部材６５が、中心軸Ｘから離れる方向に延在し、停止部材６０の上に配置されることにより、ユーザは、停止部材６０を容易に把持するおよび取り外すまたは変位させることが可能となる。図示する実施形態は、説明と全く同様の１または複数の停止部材を備えることが可能である。さらに、１または複数の停止部材は、ユーザによるひと引きで全て取り外され得るように、相互連結することが可能である。
【００３０】
図３ａおよび図３ｂから分かるように、外方部材２０の円形壁部２３中の開口６４は、例えば容器１のネック要素３などに蓋１０を螺合させる際に、停止部材６０をさらに支持する。より具体的には、開口６４の側壁部は、停止部材６０が旋回方向に沿った任意の方向、すなわち時計回り方向または反時計回り方向への動きを実質的に防止される際に、支持を与える。したがって、停止部材６０は、開口６４内にぴったりと嵌るが、所定のすなわち指定の方向において、この場合では外方部材２０から離れる方向において、停止部材６０を無効化することにより、そこからの取外しが依然として可能となる。
【００３１】
本発明の一実施形態によれば、内方部材４０の遠位端部４５は、外方部材２０の円周方向ロックフランジ２８の上に配置された傾斜表面２９と共に外方部材２０に対する内方部材４０のフック状ロック構成を可能にするための、傾斜表面４９を備える。同様に、内方部材４０の外周部４２は、外方部材２０および内方部材４０の組付けの際に外方部材２０内に内方部材４０を円滑に挿入できるようにするための傾斜表面を備えることが可能である。また、既述のように、停止部材は、不正開封防止蓋１０を製造する際に外方部材２０に対する内方部材４０の組付けを容易化するための傾斜表面が配置される。内方部材４０が、内方部材２０内に挿入される際に、停止部材６０は、破断することなく、内方部材４０が外方部材２０内に挿入され得るように変位されるのに丁度十分なだけ枢動される。蓋１０および外方部材２０が、図１に示すように、例えば容器１のネック要素３などに螺合されると、停止部材６０は、内方部材４０の溝６３内に自動的に移動または枢動する。したがって、停止部材は、中心軸Ｘの方向に有利に付勢される。
【００３２】
図２、図３ａ〜図３ｂを参照として示し説明したように、少なくとも１つの停止部材５１、５２、５３、６０は、固定的なものであってもまたは可動であってもよい。しかし、これらの停止部材５１、５２、５３、６０に共通することは、それらがいずれも無効化され得るものであるという点である。図示する実施形態においては、これらは、少なくとも１つの停止部材５１、５２、５３、６０に対して破断力を印加することにより無効化される。しかし、少なくとも１つの停止部材を無効化する他の方法も存在し、例えば、少なくとも１つの停止部材は、蓋１０に対して着脱自在に装着される場合には、取外し可能となる。任意には、少なくとも１つの停止部材は、例えば感熱接着剤などが使用される場合には加熱により、または感溶剤性（solvent sensitive）接着剤が使用される場合には溶解により、または他の手段により、無効化され得る。
【００３３】
請求項は、容器用の蓋に関するものであるが、この蓋は、膜などの任意の構成要素を備え得る点に留意されたい。
【図１】
0006442560.tif 000002
【図２】
0006442560.tif 000003
【図３ａ】
0006442560.tif 000004
【図３ｂ】
0006442560.tif 000005